(57)【要約】【課題】ディスクトレイの収納密度が高くかつ耐久性及び信頼性に優れたチェンジャー用のディスクカートリッジを提供する。【解決手段】カートリッジケース１内に複数枚のディスクトレイ４を収納するディスクカートリッジであって、各ディスクトレイ４をカートリッジケース１の内側面に形成されたガイドリブ４１，５１により保持するものにおいて、ディスクトレイ４の上面中央部には、円形の周壁６４と当該周壁６４の下部から内向きに張り出されたリブ状のディスク保持部６５とからなるディスク収納凹部６１を形成する。また、下面のガイドリブ４１，５１により保持される２辺には、段差部６３を形成する。各段差部６３の端面間の間隔は、周壁６４の直径よりも小さく形成され、各段差部６３の端面よりも外側部分６６は、ディスク保持部６５の非形成部とする。【選択図】図２２
2007213642.tif 000002
【特許請求の範囲】
【請求項１】
開口部を有するカートリッジケースと、前記開口部を介して前記カートリッジケース内に出入自在に収納され、情報記録ディスクを載置する複数枚のディスクトレイとを備え、前記複数枚のディスクトレイは、前記カートリッジケースの内側面に所定のピッチで形成されたガイドリブにより、それぞれ個別に保持するディスクカートリッジにおいて、
前記ディスクトレイは、前記情報記録ディスクを収納するためのディスク収納凹部と、前記ガイドリブに対応するディスクトレイ両側面に設けた段差部とを有し、前記ディスク収納凹部は、収納する前記情報記録ディスクより大径の周壁と、前記情報記録ディスクを保持するためのディスク保持部とからなり、前記ディスクトレイ両側面に設けた段差部の間隔を、前記周壁の直径よりも小さくすることで前記ディスク収納凹部と前記段差部の一部を重複させ、前記重複部は前記ディスク保持部の非形成部になっていることを特徴とするディスクカートリッジ。
【請求項２】
前記ディスクトレイの上面の非段差部に、前記情報記録ディスクと他のディスクトレイとの接触を防止するための突起部を形成したことを特徴とする請求項１に記載のディスクカートリッジ。
【請求項３】
前記段差部における前記ディスクトレイの厚み寸法を、前記情報記録ディスクの厚み寸法とほぼ同等にしたことを特徴とする請求項１に記載のディスクカートリッジ。
【請求項４】
前記ディスク収納凹部に前記情報記録ディスクの脱落を防止するための脱落防止部を形成したことを特徴とする請求項１に記載のディスクカートリッジ。
【請求項５】
前記脱落防止部として、前記周壁の一部に、前記周壁の開口面側から前記ディスク保持部側に至るにしたがって前記周壁の直径が大きくなる逆勾配部を形成したことを特徴とする請求項４に記載のディスクカートリッジ。
【請求項６】
前記脱落防止部として、前記周壁の一部に、前記情報記録ディスクの脱落防止突起を形成したことを特徴とする請求項４に記載のディスクカートリッジ。
【発明の詳細な説明】
【技術分野】
【０００１】
本発明は、カートリッジケース内に複数枚のディスクトレイを収納してなるチェンジャー用のディスクカートリッジに係り、特に、カートリッジケース内へのディスクトレイの収納密度を高める手段に関する。
【背景技術】
【０００２】
従来より、１つのカートリッジケース内に情報記録ディスクが載置された複数枚のディスクトレイを収納してなり、ディスクドライブ装置に着脱自在に装着して使用されるチェンジャー用のディスクカートリッジが提案されている（例えば、特許文献１参照。）。
【０００３】
特許文献１に記載のディスクカートリッジにおいては、カートリッジケースを構成する２つの側板の内面に複数のガイドリブが相平行に形成されており、各ガイドリブ上に各ディスクトレイの側辺部を載置することにより各ディスクトレイを安定に保持すると共に、カートリッジケース内からの各ディスクトレイの取り出し及び外部からカートリッジケース内への各ディスクトレイの収納を可能にしている。
【特許文献１】特開２０００−４０３２４号公報
【発明の開示】
【発明が解決しようとする課題】
【０００４】
ところで、この種のディスクカートリッジにおいては、小型化と記録容量の増加とが最も重要な技術的課題の１つになっており、かかる課題を解決するため、カートリッジケース内に収納可能な情報記録ディスクの枚数を増加する技術の開発が強く求められている。
【０００５】
特許文献１に記載のディスクカートリッジのように、カートリッジケースの側板内面に形成されたガイドリブにディスクトレイを載置するタイプのディスクカートリッジにおいては、カートリッジケース内に１枚のディスクトレイを収納するために、ディスクトレイの厚み分とガイドリブの厚み分とディスクトレイを円滑に出し入れするための余裕分との合計の厚みを必要とするので、ディスクトレイの厚み及びガイドリブの厚みのうちの少なくともいずれか一方を減少しない限り、これ以上ディスクトレイの収納密度を高めることができない。
【０００６】
しかしながら、これら各部の寸法を減少すると、各部の強度が低下して耐久性や動作の安定性が問題になると共に、ディスクトレイの厚みを減少した場合には、カートリッジケースに対するディスクトレイの出入時にディスクトレイ上に載置された情報記録ディスクの記録面が互いに隣接してカートリッジケース内に収納された他のディスクトレイと接触しやすくなるので、情報記録ディスクの保存安定性の劣化が問題となる。
【０００７】
本発明は、かかる従来技術の不備を解決するためになされたものであり、その目的は、ディスクトレイの収納密度が高くかつ耐久性及び信頼性に優れたチェンジャー用のディスクカートリッジを提供するにある。
【課題を解決するための手段】
【０００８】
本発明は、上記課題を解決するため、開口部を有するカートリッジケースと、前記開口部を介して前記カートリッジケース内に出入自在に収納され、情報記録ディスクを載置する複数枚のディスクトレイとを備え、前記複数枚のディスクトレイは、前記カートリッジケースの内側面に所定のピッチで形成されたガイドリブにより、それぞれ個別に保持するディスクカートリッジにおいて、前記ディスクトレイは、前記情報記録ディスクを収納するためのディスク収納凹部と、前記ガイドリブに対応するディスクトレイ両側面に設けた段差部とを有し、前記ディスク収納凹部は、収納する前記情報記録ディスクより大径の周壁と、前記情報記録ディスクを保持するためのディスク保持部とからなり、前記ディスクトレイ両側面に設けた段差部の間隔を、前記周壁の直径よりも小さくすることで前記ディスク収納凹部と前記段差部の一部を重複させ、前記重複部は前記ディスク保持部の非形成部になっているという構成にした。
【０００９】
ディスクトレイの側辺部に沿って段差部を形成すると、カートリッジケース内に１枚のディスクトレイを収納するに必要な厚み方向の寸法を段差部の厚み分とガイドリブの厚み分とディスクトレイを円滑に出し入れするための余裕分との合計の厚みにすることができるので、従来よりも段差部における段差の大きさ分だけカートリッジケース内に１枚のディスクトレイを収納するに必要な厚み方向の寸法を小さくすることができる。また、段差部の間隔を周壁の直径よりも小さくすることでディスク収納凹部と段差部の一部を重複させ、重複部をディスク保持部の非形成部にすると、ディスク収納凹部の周壁よりも内周部分までガイドリブの先端部を配置できるので、従来よりもディスクトレイひいてはカートリッジケースの幅方向の寸法を小さくすることができる。
【００１０】
また、本発明は、前記構成のディスクカートリッジにおいて、前記ディスクトレイの上面の非段差部に、前記情報記録ディスクと他のディスクトレイとの接触を防止するための突起部を形成するという構成にした。
【００１１】
このように、ディスクトレイの上面に接触防止用の突起部を形成すると、１のディスクトレイ上に載置された情報記録ディスクとその上方に隣接して配置される他のディスクトレイとの接触が防止されるので、この種のディスクカートリッジの耐久性及び信頼性を高めることができる。
【００１２】
また、本発明は、前記構成のディスクカートリッジにおいて、前記段差部における前記ディスクトレイの厚み寸法を、前記情報記録ディスクの厚み寸法とほぼ同等にするという構成にした。
【００１３】
このように、段差部におけるディスクトレイの厚み寸法を情報記録ディスクの厚み寸法とほぼ同等にすると、隣接して配列される２つのガイドリブ間の間隔を最小化できるので、カートリッジケースの厚み方向の寸法を最小化することができる。
【００１４】
また、本発明は、前記構成のディスクカートリッジにおいて、前記ディスク収納凹部に前記情報記録ディスクの脱落を防止するための脱落防止部を形成するという構成にした。
【００１５】
このように、ディスク収納凹部に情報記録ディスクの脱落防止部を形成すると、カートリッジケースを縦置きにして使用する場合にも、ディスクトレイからの情報記録ディスクの脱落を防止することができるので、ディスクカートリッジの実用性及び汎用性を高めることができる。
【００１６】
また、本発明は、前記構成のディスクカートリッジにおいて、前記脱落防止部として、前記周壁の一部に、前記周壁の開口面側から前記ディスク保持部側に至るにしたがって前記周壁の直径が大きくなる逆勾配部を形成するという構成にした。
【００１７】
このように、周壁の一部に逆勾配部を形成すると、カートリッジケースを縦置きにした場合に当該逆勾配部に情報記録ディスクの外周エッジ部が当接され、情報記録ディスクをディスクトレイのディスク保持部に密着させる方向に回動するモーメントが生じるので、ディスク収納凹部からの情報記録ディスクの脱落を防止することができる。
【００１８】
また、本発明は、前記構成のディスクカートリッジにおいて、前記脱落防止部として、前記周壁の一部に、前記情報記録ディスクの脱落防止突起を形成するという構成にした。
【００１９】
このように、周壁の一部に情報記録ディスクの脱落防止突起を形成すると、ディスク収納凹部内に収納された情報記録ディスクの外周部に保持突起が係合されるので、カートリッジケースをいずれの向きで縦置きにした場合にもディスク収納凹部からの情報記録ディスクの脱落を防止することができる。
【発明の効果】
【００２０】
本発明のディスクカートリッジは、ディスクトレイの側辺部に沿って段差部を形成するしたので、カートリッジケース内に１枚のディスクトレイを収納するに必要な厚み方向の寸法を従来よりも小さくでき、ディスクカートリッジの薄形化又はディスクカートリッジ内に収納可能な情報記録ディスク数の増加を図ることができる。また、ディスク収納凹部と段差部の一部を重複させ、重複部をディスク保持部の非形成部にするので、ディスク収納凹部の周壁よりも内周部分までガイドリブの先端部を配置することができ、従来よりもディスクカートリッジの幅方向の寸法を小さくすることができる。
【発明を実施するための最良の形態】
【００２１】
以下、本発明に係るディスクカートリッジの実施形態について説明する。
【００２２】
図１乃至図３に示すように、本例のディスクカートリッジは、一側面に開口部１ａを有する箱状のカートリッジケース１と、カートリッジケース１に旋回可能に取り付けられ開口部１ａを開閉するシャッタ２と、シャッタロック部材３と、開口部１ａを通してカートリッジケース１の内部に出入自在に収納される複数枚のディスクトレイ４と、各ディスクトレイ４上に１枚ずつ載置される複数枚の情報記録ディスク５と、カートリッジケース１内に設定された管理用メモリ装置６と、カートリッジケース１とシャッタ２との間に張設される第１シャッタスプリング７と、カートリッジケース１とシャッタロック部材３との間に張設される第２シャッタスプリング８とから構成されている。
【００２３】
カートリッジケース１は、図３に示すように、上ケース１１と下ケース１２と左サイドプレート１３と右サイドプレート１４とをもって一側面に開口部１ａを有する所要の大きさの箱状に形成される。前記各部材１１，１２，１３，１４は、それぞれプラスチックの射出成形品からなる。
【００２４】
上ケース１１は、図４乃至図６に示すように、前端部（開口部１ａの形成側）の左右両側に段部２１ａを有する略四角形の天板２１と、該天板２１の段部２１ａより前方部分を除く左右両側辺及び後辺より垂設された一定高さの隔壁２２とをもってカートリッジケース１の上半分を構成する形状に形成されている。天板２１の段部２１ａよりも前方の端面部分には、サイドプレート１３，１４の前端上部を嵌合するための嵌合突起２３が外向きに張り出されている。一方、天板２１の内面には、天板２１の左右両側辺より垂設された隔壁２２との間にそれぞれ左サイドプレート１３を挿入可能な間隔及び右サイドプレート１４を挿入可能な間隔を隔てて２条のリブ２４，２５が平行に形成されており、これら各リブ２４，２５の後端と対向する部分には、各サイドプレート１３，１４を仮止めするための突起２６，２７が突設されている。また、天板２１の内面の後端角部には、ねじ孔を有するボス２８が突設されている。さらに、天板２１の後辺より垂設された隔壁２２の内面には、管理用メモリ装置６の設定部２９が形成されている。
【００２５】
下ケース１２は、図７乃至図９に示すように、前端部の左右両側に段部３１ａを有する略四角形の底板３１と、該底板３１の段部３１ａより前方部分を除く左右両側辺及び後辺より起立された一定高さの隔壁３２とをもってカートリッジケース１の下半分を構成する形状に形成されている。底板３１の段部３１ａよりも前方の端面部分には、サイドプレート１３，１４の前端下部を嵌合するための嵌合突起３３が外向きに張り出されている。一方、底板３１の内面には、前記上ケース１１に形成されたリブ２４，２５と対応する部分に２条のリブ３４，３５が平行に形成されており、これら各リブ３４，３５の後端と対向する部分には、各サイドプレート１３，１４をねじ止めするための第１ボス３６，３７が突設されている。また、底板３１の内面の前記上ケース１１に形成されたボス２８と対応する部分には、第２ボス３８が突設されている。さらに、底板３１の後辺より垂設された隔壁３２の前記上ケース１１に形成された設定部２９と対応する部分には、管理用メモリ装置６の設定部３９が形成されている。
【００２６】
上ケース１１及び下ケース１２は、隔壁２２の下辺と隔壁３２の上辺とを互いに突き合わせ、ボス２８に開設されたねじ孔内に挿入された所要のねじを第２ボス３８にねじ締めすることにより、箱状に組み立てられる。
【００２７】
左サイドプレート１３は、図１０乃至図１４に示すように、上ケース１１の天板２１、隔壁２２及びリブ２４と、下ケース１２の底板３１、隔壁３２及びリブ３４とをもって構成される空間内に挿入可能な形状及び大きさに形成されている。この左サイドプレート１３の内面には、複数条（本例においては、７条）のガイドリブ４１が前端側から後端側に至る方向に平行に形成されており、ガイドリブ４１を有しない部分には、シャッタ２の取付孔４２が開設されている。一方、この左サイドプレート１３の外面の取付孔４２の近傍には、第１シャッタスプリング７の一端を係止するばね掛け突起４２ａが突設されている。また、この左サイドプレート１３の前端寄りの上下部分には、前記上ケース１１に形成された嵌合突起２３及び前記下ケース１２に形成された嵌合突起３３を嵌合するための嵌合凹部４３，４４が形成されている。さらに、この左サイドプレート１３の後端部には、ディスクトレイ４の誤挿入防止部４５が形成され、その上部に前記上ケース１１の内面に形成された仮止め用の突起２６に係合される係止爪４６が形成されると共に、その下部に前記下ケース１２に形成された第１ボス３６のねじ孔に挿入されたねじによってねじ締めされるねじ孔４７が開設されている。
【００２８】
右サイドプレート１４は、図１５乃至図１９に示すように、上ケース１１の天板２１、隔壁２２及びリブ２５と、下ケース１２の底板３１、隔壁３２及びリブ３５とをもって構成される空間内に挿入可能な形状及び大きさに形成されている。この右サイドプレート１４の内面には、前記左サイドプレート１３の内面に形成されたガイドリブ４１と対応する位置に同数のガイドリブ５１が形成されており、ガイドリブ５１を有しない部分には、シャッタ２の取付孔５２が開設されている。一方、この右サイドプレート１４の外面には、シャッタロック部材３の取付突起５２ａと第２シャッタスプリング８の一端を係止するばね掛け突起５２ｂとが所定の配列で突設されている。また、この右サイドプレート１４の前端寄りの上下部分には、前記上ケース１１に形成された嵌合突起２３及び前記下ケース１２に形成された嵌合突起３３を嵌合するための嵌合凹部５３，５４が形成されている。さらに、この右サイドプレート１４の後端部には、ディスクトレイ４の誤挿入防止部５５が形成され、その上部に前記上ケース１１の内面に形成された仮止め用の突起２７に係合される係止爪５６が形成されると共に、その下部に前記下ケース１２に形成された第１ボス３７のねじ孔に挿入されたねじによってねじ締めされるねじ孔５７が開設されている。なお、図中の符号５８は、カートリッジケース１内に収納されたディスクトレイ４を安定に保持するためのトレイ係止部を示している。このトレイ係止部５８は、右サイドプレート１４の三方を切り抜くことによって形成された弾性片５８ａと、当該弾性片５８ａの先端部に形成された係止爪５８ｂとをもって構成されており、係止爪５８ｂを各ガイドリブ５１の間に形成されるトレイ挿入空間内に配置してなる。なお、右サイドプレート１４は、左サイドプレート１３よりも全長がやや長く形成される。
【００２９】
前記左サイドプレート１３は、図２０に示すように、一体的に組み立てられた上ケース１１と下ケース１２の左サイドの内面に沿って開口部１ａから挿入される。これにより、図２１に示すように、左サイドプレート１３の前端寄りの上下部分に形成された嵌合凹部４３，４４内にそれぞれ上ケース１１に形成された嵌合突起２３及び下ケース１２に形成された嵌合突起３３がスライド嵌合され、カートリッジケース１の中央部よりも開口部１ａ側において、上ケース１１と下ケース１２と左サイドプレート１３とが一体に結合される。左サイドプレート１３が所定位置まで挿入されると、左サイドプレート１３の後端部に形成された係止爪４６が上ケース１１の内面に形成された仮止め用の突起２６に係合され、同じく左サイドプレート１３の後端部に開設されたねじ孔４７の開設位置と下ケース１２に形成された第１ボス３６の開設位置とが自動的に合致される。したがって、第１ボス３６のねじ孔に挿入されたねじをねじ孔４７内に挿入して締め付けることにより、左サイドプレート１３を下ケース１２に固定することができる。
【００３０】
一方、前記右サイドプレート１４は、図２０に示すように、一体的に組み立てられた上ケース１１と下ケース１２の右サイドの内面に沿って開口部１ａから挿入される。これにより、右サイドプレート１３の前端寄りの上下部分に形成された嵌合凹部５３，５４内にそれぞれ上ケース１１に形成された嵌合突起２３及び下ケース１２に形成された嵌合突起３３がスライド嵌合され、カートリッジケース１の中央部よりも開口部１ａ側において、上ケース１１と下ケース１２と右サイドプレート１４とが一体に結合される。右サイドプレート１４が所定位置まで挿入されると、右サイドプレート１４の後端部に形成された係止爪５６が上ケース１１の内面に形成された仮止め用の突起２７に係合され、同じく右サイドプレート１４の後端部に開設されたねじ孔５７の開設位置と下ケース１２に形成された第１ボス３７の開設位置とが自動的に合致される。したがって、第１ボス３７のねじ孔に挿入されたねじをねじ孔５７内に挿入して締め付けることにより、右サイドプレート１４を下ケース１２に固定することができる。これにより、カートリッジケース１の組立が完了する。
【００３１】
ディスクトレイ４は、図２２に示すように、外形がカートリッジケース１内に収納可能な略四角形に形成されており、前端の右側角部には、図示しないディスクドライブ装置に備えられたトレイ操作アームを係合するためのフック４ａが形成され、後端の左右両角部には、互いに長さが異なる誤挿入防止用の切欠４ｂ，４ｃが形成されている。切欠４ｂ，４ｃの長さの差は、左サイドプレート１３と右サイドプレート１４の長さの差に設定される。また、本例のディスクトレイ４は、上面中央部に形成されたディスク収納凹部６１と、上面におけるディスク収納凹部６１の周囲に設けられた突起部６２と、下面の前記ガイドリブ４１，５１により保持される２辺に沿って形成された段差部６３とを有しており、各段差部６３の端面間の間隔は、ディスク収納凹部６１を構成する円形の周壁６４の直径よりも小さく形成されている。さらに、右側辺の後方部分には、右サイドプレート１４に形成された係止爪５８ｂを係合するための略三角形の係合凹部４ｄが形成されている。本例のディスクトレイ４もプラスチックの射出成形品をもって形成される。
【００３２】
図２３に示すように、ディスクトレイ４の厚みｈ１は、相隣接して配置される２条のガイドリブ４１，４１間の隙間の寸法ｈ５と１条のガイドリブ４１の厚みｈ６との合計よりもやや小さな値（ｈ１＜ｈ５＋ｈ６）に設定される。また、ガイドリブ４１によって保持される側辺部の厚みｈ２は、相隣接して配置される２条のガイドリブ４１，４１間の隙間の寸法ｈ５よりもやや小さな値（ｈ２＜ｈ５）に設定される。したがって、突起部６２の高さｈ３と段差部６３における段差の大きさｈ４との合計寸法は、１条のガイドリブ４１の厚みｈ６よりもやや小さな値（ｈ３＋ｈ４＜ｈ６）になる。これにより、段差部６３におけるディスクトレイ４の厚みｈ２を、情報記録ディスク５の厚みとほぼ同等にすることができる。（ｈ５＋ｈ６−ｈ１）の値及び（ｈ５−ｈ２）の値は、ディスクトレイ４を円滑に摺動するために必要なクリアランスやディスクトレイ４の経時変形等を考慮して、適宜設定される。なお、ｈ６の値は、ガイドリブ４１，５１の強度や成形性を考慮して設定される。また、突起部６２の高さｈ３及び段差部６３における段差の大きさｈ４は、情報記録ディスク５の厚み及びディスク収納凹部６１に形成されるディスク保持部（後述）の厚みを考慮して、相隣接して配置される２条のガイドリブ４１，４１の間の隙間内に情報記録ディスク５が配置されるように設定される。
【００３３】
ディスク収納凹部６１は、直径が情報記録ディスク５の直径よりも大きい円形の周壁６４と、当該周壁６４の下方から内向きに張り出されたリブ状のディスク保持部６５とをもって形成されており、前記各段差部６３の端面よりも外側部分６６は、ディスク保持部６５の非形成部になっている。ディスク保持部６５の周壁６４からの突出量ｓは、ディスク保持部６５が情報記録ディスク５の外周非記録領域にのみ当接するように設定される。ディスク保持部６５の非形成部６６と対応する部分には、図２４に示すように、情報記録ディスク５の脱落防止部として、周壁６４の開口面側からディスク保持部６５側に至るにしたがって周壁６４の直径が大きくなる逆勾配部６７が形成されている。これに対して、他の部分においては、図２５に示すように、周壁６４の勾配がディスクトレイ４を射出成形するに必要な抜き勾配の方向、即ち、周壁６４の開口面側からディスク保持部６５側に至るにしたがって周壁６４の直径が小さくなる方向に形成される。
【００３４】
ディスクトレイ４は、図２６に示すように、ディスク収納凹部６１内に情報記録ディスク５を収納した状態で、カートリッジケース１内に収納される。ディスクトレイ４が正しい方向に向けてカートリッジケース１内に収納された場合には、ディスクトレイ４の後端に形成された切欠４ｂ，４ｃの端部まで左サイドプレート１３に形成された誤挿入防止部４５及び右サイドプレート１４に形成された誤挿入防止部５５がそれぞれ挿入されるので、カートリッジケース１内の所定位置までディスクトレイ４を挿入して収納することができる。また、この場合には、ディスクトレイ４に形成された係合凹部４ｄに右サイドプレート１４に形成された係止爪５８ｂが係合するので、カートリッジケース１からの不用意なディスクトレイ４の脱落が防止される。これに対して、ディスクトレイ４が誤った方向に向けてカートリッジケース１内に収納された場合には、左サイドプレート１３に形成された誤挿入防止部４５にディスクトレイ４の角部が当接されるので、それ以上の挿入が自動的に防止される。正しい方向に向けてカートリッジケース１内に挿入されたディスクトレイ４は、図２７に示すように、段差部６３がカートリッジケース１に形成された各ガイドリブ４１，５１上に載置され、情報記録ディスク５の外周部も相隣接して配置される２条のガイドリブ４１，５１間の隙間内に配置される。これによって、カートリッジケース１の横幅の減少を図ることができる。
【００３５】
本例のディスクトレイ４は、周壁６４におけるディスク保持部６５の非形成部６６と対応する部分に逆勾配部６７を形成したので、各逆勾配部６７を上下方向に向けてカートリッジケース１を縦置きにした場合、図２８に示すように、下方の逆勾配部６７に情報記録ディスク５の外周エッジ部が当接され、情報記録ディスク５をディスクトレイ４のディスク保持部６５に密着させる方向に回動するモーメントＭが生じる。よって、ディスク収納凹部６１からの情報記録ディスク５の脱落が防止され、ディスクカートリッジの実用性及び汎用性が高められる。
【００３６】
情報記録ディスク５は、ディスク基板の片面又は両面に情報記録膜を含む所要の薄膜を成膜してなる。情報記録膜としては、例えば磁気記録膜、光記録膜又は光磁気記録膜などの公知に属する任意の情報記録膜を形成することができる。
【００３７】
管理用メモリ装置６は、ディスクカートリッジ内に収納される情報記録ディスク５の属性等を記録し、ディスクカートリッジの使用を便利にするものであって、無線通信タグ（ＲＦＩＤ）等を用いることができる。この管理用メモリ装置６は、上ケース１１及び下ケース１２の後端部に形成された設定部２９，３９内に設定される。
【００３８】
シャッタ２は、図２９、図３２及び図３３に示すように、カートリッジケース１の上面を覆う上面部７１と、カートリッジケース１の前面を覆う前面部７２と、カートリッジケース１の側面を覆う側面部７３とから構成されており、側面部７３の内面には、前記左サイドプレート１３及び前記右サイドプレート１４に開設された取付孔４２，５２内に回転自在に挿入される支持軸７４が対向に突設されている。また、左側の側面部７３の内面には、第１シャッタスプリング７の一端を係止するばね掛け突起７５が突設され、右側の側面部７３の内面には、後述するシャッタロック部材３を着脱自在に係合するための係合突起７６が突設されている。本例のシャッタ２は、支持軸７４を取付孔４２，５２内に挿入することによってカートリッジケース１の前面部に旋回自在に取り付けられる。第１シャッタスプリング７は、ばね掛け突起７５と左サイドプレート１３の外面に突設されたばね掛け突起４２ａとの間に張設され、シャッタ２を常時開方向に付勢する。本例のシャッタ２もプラスチックの射出成形品をもって形成される。
【００３９】
シャッタロック部材３は、図３０及び図３１に示すように、板状の本体部８１と、当該本体部８１の前端下部より外向きに起立された操作部８２と、本体部８１の上辺から当該本体部８１の前方に突出された略棒状のシャッタ係止部８３と、本体部８１の後端から後方に突出された第２シャッタスプリング８の係合部８４とから形成されており、本体部８１には、Ｌ字形の取付孔８５と右サイドプレート１４に形成された取付突起５２ａの係合部８６とが形成されている。本例のシャッタロック部材３は、Ｌ字形に形成された取付孔８５の縦辺部８５ａに右サイドプレート１４に形成された取付突起５２ａを挿入した後、当該取付突起５２ａをＬ字形に形成された取付孔８５の横辺部８５ｂに移動し、その先端部を係合部８６に係合することにより、図３２及び図３３に示すように、右サイドプレート１４に前後動自在に取り付けられる。第２シャッタスプリング８は、右サイドプレート１４に形成されたばね掛け突起５２ｂとシャッタロック部材３に形成された係合部８４との間に張設され、シャッタロック部材３を常時開口部１ａ側に付勢する。本例のシャッタロック部材３もプラスチックの射出成形品をもって形成される。
【００４０】
不使用時、シャッタロック部材３は、図３２に示すように、第２シャッタスプリング８の弾性力によってカートリッジケース１の開口部１ａ側に移動されており、シャッタ２に形成された係合突起７６にシャッタ係止部８３が係合される。したがって、シャッタ２は、第１シャッタスプリング７の弾性力に抗して閉状態に保持され、開口部１ａからカートリッジケース１内への異物等の侵入が防止される。
【００４１】
ディスクカートリッジを図示しないディスクドライブ装置に装着すると、図３３に示すように、ディスクドライブ装置内に備えられた解除部がシャッタロック部材３の操作部８２を後方に押圧し、シャッタロック部材３を第２シャッタスプリング８の弾性力に抗してカートリッジケース１の後方側に移動させる。これにより、シャッタ２に形成された係合突起７６とシャッタロック部材３に形成されたシャッタ係止部８３との係合が解除され、シャッタ２が第１シャッタスプリング７の弾性力によって開状態になる。開口部１ａを通してのカートリッジケース１内からのディスクトレイ４の取り出し及びディスクドライブ装置からカートリッジケース１内へのディスクトレイ４の収納が可能になる。
【００４２】
本例のディスクカートリッジは、ディスクトレイ４の側辺部に沿って段差部６３を形成したので、当該段差部６３を有しない場合に比べてカートリッジケース１内に１枚のディスクトレイ４を収納するに必要な厚み方向の寸法を小さくすることができ、ディスクカートリッジの薄形化又はディスクトレイ４の収納数の増加を図ることができる。また、本例のディスクカートリッジは、各段差部６３の端面間の間隔をディスク収納凹部６１を構成する周壁６４の直径よりも小さくし、かつ各段差部６３の端面よりも外側部分６６をディスク保持部６５の非形成部にしたので、ディスク収納凹部６１の周壁６４よりも内周部分までガイドリブ４１，５１の先端部を配置することができ、ディスクカートリッジの幅方向寸法を小さくすることができる。さらに、本例のディスクカートリッジは、ディスクトレイ４の上面に突起部６２を形成したので、情報記録ディスク５の保存性を高めることができると共に、突起部６２の高さｈ３と段差部６３における段差の大きさｈ４との合計寸法をガイドリブ４１，５１の厚み寸法よりも小さくしたので、情報記録ディスク５を２つのガイドリブ４１，４１及び５１，５１の中間位置に配置することができ、情報記録ディスク５とガイドリブ４１，５１との衝合を防止することができる。加えて、本例のディスクカートリッジは、段差部６３におけるディスクトレイ４の厚み寸法を情報記録ディスク５の厚み寸法とほぼ同等にしたので、隣接して配列される２つのガイドリブ４１，４１及び５１，５１間の間隔を最小化することができ、カートリッジケース１の厚み方向の寸法の最小化を図ることができる。
【００４３】
なお、前記実施形態においては、情報記録ディスク５の脱落防止部として逆勾配部６７を形成したが、本発明の要旨はこれに限定されるものではなく、図３４及び図３５に示すように、ディスク収納凹部６１を構成する周壁６４の一部に１乃至複数個（図３４の例では、４個）の脱落防止突起９１を形成することもできる。このように、脱落防止部として周壁６４に脱落防止突起９１を形成すると、周壁６４におけるディスク保持部６５の非形成部６６を上下方向に向けてカートリッジケース１を縦置きにした場合のみならず、ディスク保持部６５の非形成部６６を左右方向に向けてカートリッジケース１を縦置きにした場合にもディスクトレイ４からの情報記録ディスク５の脱落を防止できるので、より一層この種のディスクカートリッジの実用性及び汎用性が高められる。
【００４４】
また、前記実施形態においては、突起部６２を面状に形成したが、本発明の要旨はこれに限定されるものではなく、リブ状又は突子状などの任意の形状に形成することができる。
【図面の簡単な説明】
【００４５】
【図１】ディスクカートリッジの不使用時の斜視図である。
【図２】ディスクカートリッジの使用時の斜視図である。
【図３】ディスクカートリッジの分解斜視図である。
【図４】上ケースの平面図である。
【図５】上ケースの前端側から見た正面図である。
【図６】上ケースの底面図である。
【図７】下ケースの平面図である。
【図８】下ケースの前端側から見た正面図である。
【図９】下ケースの底面図である。
【図１０】左サイドプレートの内面側から見た正面図である。
【図１１】左サイドプレートの前端側から見た側面図である。
【図１２】左サイドプレートの後端側から見た側面図である。
【図１３】左サイドプレートの平面図である。
【図１４】左サイドプレートの底面図である。
【図１５】右サイドプレートの内面側から見た正面図である。
【図１６】右サイドプレートの後端側から見た側面図である。
【図１７】右サイドプレートの前端側から見た側面図である。
【図１８】右サイドプレートの平面図である。
【図１９】右サイドプレートの底面図である。
【図２０】上ケースと下ケースの組立体に対する左サイドプレート及び右サイドプレートの組立方法を示す斜視図である。
【図２１】上ケース及び下ケースに対する左サイドプレートの組立状態とカートリッジケース内へのディスクトレイの収納状態とを示す要部断面図である。
【図２２】ディスクトレイの斜視図である。
【図２３】ディスクトレイとガイドリブとの寸法関係を示す説明図である。
【図２４】図２２のＡ部断面図である。
【図２５】図２２のＢ部断面図である。
【図２６】カートリッジケース内へのディスクトレイの収納状態を示す平面方向から見た断面図である。
【図２７】カートリッジケース内へのディスクトレイの収納状態を示す前端方向から見た要部断面図である。
【図２８】逆勾配部の効果を示す要部断面図である。
【図２９】シャッタの下方から見た正面図である。
【図３０】シャッタロック部材の正面図である。
【図３１】シャッタロック部材の側面図である。
【図３２】シャッタの開閉動作を示す説明図である。
【図３３】シャッタの開閉動作を示す説明図である。
【図３４】他の実施形態に係るディスクトレイの斜視図である。
【図３５】図３４のＣ部拡大図である。
【符号の説明】
【００４６】
１    カートリッジケース
１ａ    開口部
２    シャッタ
３    シャッタロック部材
４    ディスクトレイ
５    情報記録ディスク
６    管理用メモリ装置
４１，５１    ガイドリブ
６１    ディスク収納凹部
６２    突起部
６３    段差部
６４    周壁
６５    ディスク保持部
６６    ディスク保持部の非形成部
６７    逆勾配部
９１    保持突起
【図１】
2007213642.tif 000003
【図２】
2007213642.tif 000004
【図３】
2007213642.tif 000005
【図４】
2007213642.tif 000006
【図５】
2007213642.tif 000007
【図６】
2007213642.tif 000008
【図７】
2007213642.tif 000009
【図８】
2007213642.tif 000010
【図９】
2007213642.tif 000011
【図１０】
2007213642.tif 000012
【図１１】
2007213642.tif 000013
【図１２】
2007213642.tif 000014
【図１３】
2007213642.tif 000015
【図１４】
2007213642.tif 000016
【図１５】
2007213642.tif 000017
【図１６】
2007213642.tif 000018
【図１７】
2007213642.tif 000019
【図１８】
2007213642.tif 000020
【図１９】
2007213642.tif 000021
【図２０】
2007213642.tif 000022
【図２１】
2007213642.tif 000023
【図２２】
2007213642.tif 000024
【図２３】
2007213642.tif 000025
【図２４】
2007213642.tif 000026
【図２５】
2007213642.tif 000027
【図２６】
2007213642.tif 000028
【図２７】
2007213642.tif 000029
【図２８】
2007213642.tif 000030
【図２９】
2007213642.tif 000031
【図３０】
2007213642.tif 000032
【図３１】
2007213642.tif 000033
【図３２】
2007213642.tif 000034
【図３３】
2007213642.tif 000035
【図３４】
2007213642.tif 000036
【図３５】
2007213642.tif 000037